(57)【要約】【課題】室内用履物への装着時の機械的な強度を高め、室内用履物から手軽に取り外して再使用することが容易である履物用パッド及びパッド保持具を提供する。【解決手段】履物用パッド１０は、シート状の基材１と、該基材１の一方の面に形成された接着層２とを有し、接着層２は、室内用履物の底部材５の下面に装着可能であり、接着した底部材５の下面から剥離可能である。基材１は水分を吸収する吸水シートにて構成され、接着層２は、吸着層（複数の微小気泡を有する樹脂層）又は粘着層（粘着性の樹脂層）であり、複数の凸条２ａが離隔して並んだ構造を有する。【選択図】図４
2010099332.tif 000002
【特許請求の範囲】
【請求項１】
室内用履物の底部材に装着する履物用パッドにおいて、
シート状の基材と、該基材の一方の面に形成された接着層とを有することを特徴とする履物用パッド。
【請求項２】
前記接着層は、接着した前記室内用履物の底部材から剥離可能であることを特徴とする請求項１に記載の履物用パッド。
【請求項３】
前記基材は水分を吸収する吸水シートにて構成され、前記底部材の下面に装着可能であることを特徴とする請求項１又は２に記載の履物用パッド。
【請求項４】
前記吸水シートと接着層との間に防水層を設けてあることを特徴とする請求項３に記載の履物用パッド。
【請求項５】
前記吸水シートは吸収した水分を拡散させる拡散性を有することを特徴とする請求項３又は４に記載の履物用パッド。
【請求項６】
前記吸水シートの外側表面に、複数の突起部を離散させて設けてあることを特徴とする請求項３から５のいずれか１項に記載の履物用パッド。
【請求項７】
前記吸水シートの外側表面にパイル織の生地を重ねてあることを特徴とする請求項３から６のいずれか１項に記載の履物用パッド。
【請求項８】
前記基材は抗菌剤を含有した抗菌シートにて構成され、前記底部材の上面に装着可能であることを特徴とする請求項１又は２に記載の履物用パッド。
【請求項９】
前記抗菌剤は木炭であることを特徴とする請求項８に記載の履物用パッド。
【請求項１０】
前記接着層は、複数の微小気泡を有する樹脂の吸着層であることを特徴とする請求項１から９のいずれか１項に記載の履物用パッド。
【請求項１１】
前記接着層は粘着層であることを特徴とする請求項１から９のいずれか１項に記載の履物用パッド。
【請求項１２】
前記接着層は複数の凸条が離隔して並んだ構造を有することを特徴とする請求項１から１１のいずれか１項に記載の履物用パッド。
【請求項１３】
請求項１から１２のいずれか１項に記載の履物用パッドを前記接着層により付着させる付着部と、該付着部に連設され、他部材に係合する係合部とを備えたことを特徴とするパッド保持具。
【請求項１４】
前記付着部はシート状に形成され、両面に前記履物用パッドを付着させる構成としてあることを特徴とする請求項１３に記載のパッド保持具。
【請求項１５】
前記付着部は、前記履物用パッドの形状に応じた形状をなすことを特徴とする請求項１３又は１４に記載のパッド保持具。
【発明の詳細な説明】
【技術分野】
【０００１】
本発明は、スリッパなどの室内用履物の底部材の上面又は下面に装着される掃除用途等の履物用パッド、及び、該履物用パッドを保持する保持具に関する。
【背景技術】
【０００２】
従来、人が室内用履物を履いて台所、リビング等を歩くときに床面を掃除する目的で、スリッパの底部材の下面に両面接着テープを用いて掃除用シートを貼り付けるようにした掃除パッドが公知である。例えば特許文献１には、スリッパの形に切断した複数枚の不織布を重ねて外周を縫合したシートの周縁部に両面接着テープを配してスリッパの下面に接着するようにした掃除パッドが示されている。また特許文献２には、高吸水性樹脂を含む吸収シートの面に両面粘着シートの片方の粘着面を接合し、両面粘着シートの他方の粘着面をスリッパの下面に接合させるようにした掃除パッドが示されている。
【特許文献１】特開平９−３２２８０１号公報
【特許文献２】実開平７−４３３２５号公報
【発明の開示】
【発明が解決しようとする課題】
【０００３】
特許文献１に記載の掃除パッドは、不織布によって床上のゴミを吸着するものであり、液体を吸収する機能はない。また、両面接着テープは綺麗に剥がすことが難しく、事実上再使用することは困難であり、さらに周縁部に配置した両面接着テープでスリッパに貼り付ける構造であるので接着力があまり強くなく、特に両面接着テープに水分が浸透した場合には接着力が大きく低下するおそれがある。
【０００４】
特許文献２に記載の掃除パッドでも、同様に両面粘着シートが水に濡れた場合に粘着力が低下する問題がある。さらに、特許文献２に記載の掃除パッドでは、吸収シートは吸い取った液体成分を内側に閉じ込めるだけで発散させる機能はないので、吸収シートの内部に液体成分が蓄積し、吸収効果が低下する問題がある。
【０００５】
また、スリッパ等を長期間使用した場合に足の裏と底部材との間に湿気がたまり、その結果、足がむれて変な匂いがし、菌類が繁殖する等の問題が生じる。
【０００６】
本発明は、上述したような事情に鑑みてなされたものであり、室内用履物への装着時の機械的な強度を高めた履物用パッドを提供することを目的とする。
【０００７】
また本発明は、室内用履物から手軽に取り外して再使用することが容易である履物用パッドを提供することを目的とする。
【０００８】
また本発明は、水分に対する吸収効果を高めた掃除用途の履物用パッドを提供することを目的とする。
【０００９】
また本発明は、室内用履物に装着したときに滑り止め効果を有する履物用パッドを提供することを他の目的とする。
【００１０】
また本発明は、室内用履物に装着したときにソフトな履き心地を与えるとともに、吸水性能及びゴミ吸着性能に優れた履物用パッドを提供することを他の目的とする。
【００１１】
また本発明は、室内用履物に装着したときに菌類が繁殖する等の問題を解消する中敷き用途の履物用パッドを提供することを他の目的とする。
【００１２】
また本発明は、室内用履物への装着に好適な材料及び構造を有する履物用パッドを提供することを他の目的とする。
【００１３】
また本発明は、上記履物用パッドを接着層によって安定に保持することができるパッド保持具を提供することを他の目的とする。
【００１４】
また本発明は、極力小型化したパッド保持具を提供することを他の目的とする。
【課題を解決するための手段】
【００１５】
第１の発明に係る履物用パッドは、室内用履物の底部材に装着する履物用パッドにおいて、シート状の基材と、該基材の一方の面に形成された接着層とを有することを特徴とする。
第１の発明においては、シート状の基材の一方の面に形成された接着層を室内用履物の底部材に接着することにより、該基材を有する履物用パッドが室内用履物の底部材に装着される。
【００１６】
第２の発明に係る履物用パッドは、前記接着層は、接着した前記室内用履物の底部材から剥離可能であることを特徴とする。
第２の発明においては、室内用履物の底部材に接着された接着層を剥離させることにより、履物用パッドが室内用履物の底部材から取り外される。
【００１７】
第３の発明に係る履物用パッドは、前記基材は水分を吸収する吸水シートにて構成され、前記底部材の下面に装着可能であることを特徴とする。
第３の発明においては、室内用履物を履いた人が室内を歩行するときに、室内用履物の底部材の下面に接着層によって接着された吸水シートが床面上の水分を吸収する。
【００１８】
第４の発明に係る履物用パッドは、前記吸水シートと接着層との間に防水層を設けてあることを特徴とする。
第４の発明においては、吸水シートが吸収した水分は、防水層によって接着層への浸入が阻止される。
【００１９】
第５の発明に係る履物用パッドは、前記吸水シートは吸収した水分を拡散させる拡散性を有することを特徴とする。
第５の発明においては、吸水シートが吸収した水分は吸水シートによって拡散され、蒸発し易くなる。
【００２０】
第６の発明に係る履物用パッドは、前記吸水シートの外側表面に、複数の突起部を離散させて設けてあることを特徴とする。
第６の発明においては、吸水シートの外側表面に離散した複数の突起部によって、吸水シートの外側表面が床面に接触するときの接触抵抗が増加し、滑り難くなる。
【００２１】
第７の発明に係る履物用パッドは、前記吸水シートの外側表面にパイル織の生地を重ねてあることを特徴とする。
第７の発明においては、床面に接触するパイル織の生地は毛羽立っていてクッション性を有し、また吸水性能及びゴミ吸着性能に優れている。
【００２２】
第８の発明に係る履物用パッドは、前記基材は抗菌剤を含有した抗菌シートにて構成され、前記底部材の上面に装着可能であることを特徴とする。
第８の発明においては、室内用履物を履いた人が室内を歩行するときに、室内用履物の底部材の上面に接着層によって接着された抗菌シートが菌類の繁殖を抑制する。
【００２３】
第９の発明に係る履物用パッドは、前記抗菌剤は木炭であることを特徴とする。
第９の発明においては、木炭は抗菌作用を有し、さらには消臭作用も有するので、抗菌シートに含有する抗菌剤に適している。
【００２４】
第１０の発明に係る履物用パッドは、前記接着層は、複数の微小気泡を有する樹脂の吸着層であることを特徴とする。
第１０の発明においては、前記基材の一方の面に形成された樹脂の吸着層の表面に開口した複数の微小気泡が真空吸着作用をなすことによって当該樹脂層が室内用履物の底部材に吸着され、履物用パッドが室内用履物の底部材に装着される。
【００２５】
第１１の発明に係る履物用パッドは、前記接着層は粘着層であることを特徴とする。
第１１の発明においては、前記基材の一方の面に形成された粘着層が室内用履物の底部材に粘着して、履物用パッドが室内用履物の底部材に装着される。
【００２６】
第１２の発明に係る履物用パッドは、前記接着層は複数の凸条を離隔して並んだ構造を有することを特徴とする。
第１２の発明においては、履物用パッドを室内用履物の底部材に押し付けて装着するときに凸条の頂部部分が室内用履物の底部材の表面に当接して接着され、凸条の谷部は室内用履物の底部材の表面から離れているので、凸条の頂部に押圧力が集中して良好に接着することができ、また履物用パッドを取り外すときは接着層を綺麗に剥がすことができる。
【００２７】
第１３の発明に係るパッド保持具は、第１から１２のいずれかの発明に係る履物用パッドを前記接着層により付着させる付着部と、該付着部に連設され、他部材に係合する係合部とを備えたことを特徴とする。
第１３の発明においては、シート状の基材の接着層をパッド保持具の付着部に付着させ、パッド保持具の係合部を他部材に係合させる。これにより、一方の面に接着層が形成されシート状の基材を有する履物用パッドがパッド保持具にて確実に保持される。
【００２８】
第１４の発明に係るパッド保持具は、前記付着部はシート状に形成され、両面に前記履物用パッドを付着させる構成としてあることを特徴とする。
第１４の発明においては、シート状の付着部の両面に履物用パッドを付着させるので、シート状の付着部を履物用パッドの面積の半分程度の大きさに形成することができる。
【００２９】
第１５の発明に係るパッド保持具は、前記付着部は、前記履物用パッドの形状に応じた形状をなすことを特徴とする。
第１５の発明においては、シート状の付着部を履物用パッドの形状に応じた必要最小限の大きさに形成することができる。
【発明の効果】
【００３０】
第１の発明に係る履物用パッドによれば、接着層の接着力を大きくすることにより、履物用パッドと室内用履物の底部材との接着強度を高くすることができる。特に基材の一方の面に形成する接着層を基材の面に強固に結合させておけば、履物用パッドを室内用履物の底部材へ装着するときの接着強度は、主として室内用履物の底部材と接着層の間の接着状態に依存するので、この面における接着層の接着力を大きくすることにより、全体としての履物用パッドと室内用履物の底部材との接着強度を高くすることができる。従って、室内用履物への装着時の機械的な強度を高めた履物用パッドが提供される。
【００３１】
第２の発明に係る履物用パッドによれば、使用後、接着層を室内用履物の底部材から剥離して履物用パッドを取り外し、例えば使用により履物用パッドが汚れている場合には洗濯することができる。従って、室内用履物から手軽に取り外して再使用することが容易である履物用パッドが提供される。
【００３２】
第３の発明に係る履物用パッドによれば、室内用履物を履いて室内を歩行するときに、室内用履物の底部材の下面に装着された履物用パッドによって床面上の水分が吸収されるので、水分に対する吸収効果を高めた掃除用途の履物用パッドが提供される。
【００３３】
第４の発明に係る履物用パッドによれば、吸水シートが吸収した水分の接着層への浸入が阻止されるので、水分に対する吸収効果を高めつつ、水分の浸入による接着層の劣化を防止することができる掃除用途の履物用パッドが提供される。
【００３４】
第５の発明に係る履物用パッドによれば、吸水シートが吸収した水分が吸水シートによって拡散され、蒸発するので、水分に対する吸収効果をさらに高めることができる掃除用途の履物用パッドが提供される。
【００３５】
第６の発明に係る履物用パッドによれば、底部材の下面に履物用パッドが装着された室内用履物を履いて室内を歩行するときに、滑り難くなるので、室内用履物に装着したときに滑り止め効果を有する掃除用途の履物用パッドが提供される。
【００３６】
第７の発明に係る履物用パッドによれば、室内用履物に装着したときにソフトな履き心地を与えるとともに、吸水性能及びゴミ吸着性能に優れた掃除用途の履物用パッドが提供される。
【００３７】
第８の発明に係る履物用パッドによれば、室内用履物に装着したときに菌類が繁殖する等の問題を解消する中敷き用途の履物用パッドが提供される。
【００３８】
第９の発明に係る履物用パッドによれば、菌類が繁殖する等の問題を解消する具体的な材料を有する中敷き用途の履物用パッドが提供される。
【００３９】
第１０の発明に係る履物用パッドによれば、室内用履物への装着に好適な材料として、複数の微小気泡を有する樹脂の吸着層を備えた履物用パッドが提供される。特に該樹脂の吸着層は剥離性に優れているので、室内用履物への装着及び取外しを繰り返すような履物用パッドに適している。
【００４０】
第１１の発明に係る履物用パッドによれば、室内用履物への装着に好適な材料として粘着層を備えた履物用パッドが提供される。特に粘着層は接着性に優れているので、室内用履物へ強固に装着するような履物用パッドに適している。
【００４１】
第１２の発明に係る履物用パッドによれば、複数の凸条を離隔させて並べた構造の接着層によって、室内用履物への装着に好適な構造を有する履物用パッドが提供される。
【００４２】
第１３の発明に係るパッド保持具によれば、履物用パッドをパッド保持具の付着部に付着させ、パッド保持具の係合部を他部材に係合させて履物用パッドを保持するので、例えば、係合部を洗濯物干し台などの竿、紐等の他部材に係合させて履物用パッドを干す場合、あるいは係合部を収納用の金具に掛けて履物用パッドを収納保存する場合に、履物用パッドの接着層が他物に接着し、あるいは接着層同士が接着するような不都合が回避され、室内用履物の底部材に接着させて使用するパッドを接着層によって安定に保持することができるパッド保持具が提供される。
【００４３】
第１４の発明及び第１５の発明に係るパッド保持具によれば、シート状の付着部を履物用パッドの面積の半分程度の大きさに形成することができ、あるいはシート状の付着部を履物用パッドの形状に応じた必要最小限の大きさに形成することができるので、極力小型化したパッド保持具が提供される。
【発明を実施するための最良の形態】
【００４４】
以下、本発明に係る履物用パッド、及び、パッド保持具の実施の形態について、スリッパの底部材に装着する掃除パッド及び中敷きパッドを例に図面に基づいて説明する。
【００４５】
（第１の実施形態）
図１は本発明の第１の実施形態に係る掃除パッドの平面図、図２は同掃除パッドの底面図、図３は図１のＩＩＩ−ＩＩＩ線における断面図である。
【００４６】
第１の実施形態に係る掃除パッド１０は、水分を吸収する吸水シート１と、該吸水シート１の一方の面に形成された接着層２とを有する。吸水シート１はスリッパの底部材の外形に合わせた足型形状であり、実際には左右の足に対応して左右対称の一対の吸水シート１が設けてある。吸水シート１は、吸水性に優れた繊維（ポリエステル繊維）を使用している。吸水シート１は外側表面及び内側表面に起毛３を有する。起毛３は吸水シート１の材料であるポリエステル繊維にポリウレタン繊維を組み合わせたツーウエイ（２ＷＡＹ）トリコット起毛にて作製してある。吸水シート１は両側の起毛３の部分を含めて約２ｍｍ程度の厚さを有する。起毛３は少なくとも吸水シート１の外側表面に設けてあればよい。ただし、吸水シート１の材料としては、ポリエステル繊維以外の繊維でもよい。
【００４７】
接着層２は、具体的には厚さ０．３〜０．５ｍｍ程度のアクリル樹脂の塗布層であり、吸水シート１の足型形状における爪先と踵とを結ぶ線に略直交する方向に平行で１ｍｍ程度の幅を有する凸条２ａが吸水シート１の表面に３〜４ｍｍ程度のピッチで複数並ぶように塗布して形成してある。尚、隣接する凸条２ａの間の部分にも層厚は薄くなるがアクリル樹脂の塗布層が存在する。アクリル樹脂の材料は、例えばアクリル系の合成樹脂（粘着性を有するアクリル酸エステル共重合体及び熱可塑性繊維と良好に相溶するメチルメタアクリレートブタジエン共重合体）を主成分とするエマルジョン、発泡剤等を含む組成物である。この接着層２により、表面に開口し、吸着作用をなす複数の微小気泡を有する吸着層が形成される。またアクリル樹脂自体が粘着性を有するので該接着層２は一部、粘着層としても働く。接着層２には使用前は透明な保護フィルムを被せて保護してある。
【００４８】
図４は本発明の第１の実施形態に係る掃除パッド１０をスリッパの底部材５の下面に装着した状態を示す断面図である。接着層２の凸条２ａが底部材５の下面に当接して接着される。具体的には、底部材５に押し付けられた接着層２（アクリル樹脂の塗布層の凸条２ａ）の表面に開口する微小気泡が内部空気を排出し、該真空吸着作用及び表面の粘着性により底部材５に接着される。そして、人がスリッパを履いて室内を歩行する際に起毛３付きの吸水シート１に床面上の水分が吸収され、またゴミも付着して床面が清掃される。
【００４９】
（第２の実施形態）
図５は本発明の第２の実施形態に係る掃除パッドの断面図である。第２の実施形態に係る掃除パッド１１は、第１の実施形態に係る掃除パッド１０において、吸水シート１と接着層２との間に防水シート４を設けてある点だけが相違する。この防水シート４により、吸水シート１で吸収された水分が接着層２に浸入することが阻止されるので、接着層２の材料が耐水性に弱いとして接着力の低下が防止できる。
【００５０】
防水シート４は防水性を有するポリエステル繊維である。防水シート４は、熱可塑性繊維であるポリエステル繊維を互いにからませて集合してなる薄肉（約０．１ｍｍ程度の厚さ）の不織布からなり、適度の撓み性を有する。ただし、防水シート４の材料としては、ポリエステル繊維以外の繊維、又は合成樹脂のフィルムでもよい。吸水シート１と防水シート４とは、シートの周縁部の全周、及び、内側個所で熱溶着してある。
【００５１】
第１及び第２の実施形態に係る掃除パッドにおいて、吸水シート１は吸収した水分を拡散させる拡散性を有し、その結果、速乾性を有することが好ましい。具体的には、旭化成せんい株式会社製のポリエステル繊維（商品名：テクノファイン（旭化成せんい株式会社の登録商標である））が使用可能である。テクノファインは、特殊なＷ型繊維構造による細かい溝が水分をすばやく吸い上げ、吸った水分をすばやく拡散させて乾燥させるため、多量の水分を吸収してもべたつきにくく速乾性に優れる。尚、これ以外の吸水性及び拡散性（速乾性）に優れた各種合成繊維材料を使用してもよい。
【００５２】
第１及び第２の実施形態に係る掃除パッドにおいて、吸水シート１の外側表面に複数の突起部６を離散させて設けて、床面滑り難くするようにしてもよい。図６は第１及び第２の実施形態に係る掃除パッドの変形例を示す断面図である。突起部６は、合成樹脂材料を印刷によって吸水シート１の表面に塗布し、熱硬化させて形成することができる。
【００５３】
（第３の実施形態）
図７は本発明の第３の実施形態に係る掃除パッドの平面図、図８は同掃除パッドの底面図、図９は図７のＩＸ−ＩＸ線における断面図である。第３の実施形態に係る掃除パッド１２は、第１の実施形態に係る掃除パッド１０において、吸水シート１の外側表面にパイル織の生地７を重ねてある点だけが相違する。尚、吸水シート１とパイル織の生地７の基材７ａとは、シートの周縁部の全周で縫合してあり、また接着層２の凸条２ａは吸水シート１の足型形状における爪先と踵とを結ぶ線に平行である。このパイル織の生地７により、吸水性能及びゴミ吸着性能が高くなる。
【００５４】
（第４の実施形態）
図１０は第４の実施形態に係る中敷きパッドの平面図、図１１は同中敷きパッドの底面図、図１２は図９のＸＩＩ−ＸＩＩ線における断面図である。
【００５５】
第４の実施形態に係る中敷きパッド２０は、抗菌剤を含有した抗菌シート２１と、該抗菌シート２１の一方の面に形成された接着層２２とを有する。抗菌シート２１はスリッパの底部材の外形に合わせた足型形状である。ただし、スリッパの内部に装着するので、第１〜第３の実施形態に係る掃除パッドより外形寸法を小さくしている。抗菌シート２１は、抗菌剤として木炭（具体的には備長炭）の微粉を含有し、約１〜２ｍｍ程度の厚さを有する不織布（三菱レイヨン製）を使用している。ただし、抗菌シート２１に、備長炭以外の木炭、又は木炭以外の抗菌剤を含有させてもよい。
【００５６】
接着層２２は、第１〜第３の実施形態に係る掃除パッドと同様のアクリル樹脂の塗布層であり、抗菌シート２１の足型形状における爪先と踵とを結ぶ線に略直交する方向に平行で２ｍｍ程度の幅を有する凸条２２ａが抗菌シート２１の表面に４ｍｍ程度のピッチで複数並ぶように塗布して形成してある。
【００５７】
図１３は本発明の第４の実施形態に係る中敷きパッド２０をスリッパの底部材５の上面に装着した状態を示す断面図である。接着層２２の凸条２２ａが底部材５の上面に当接し、吸着作用及び粘着作用を発揮して接着されている。そして、人がスリッパを履いているときにスリッパの内部に発生した菌類が抗菌シート２１に含有された備長炭によって吸収されて除菌され、また悪臭も備長炭に吸収されて消臭される。
【００５８】
前述の実施の形態１〜４では、接着層２，２２をアクリル樹脂の塗布層により吸着層として構成したが、アクリル樹脂の塗布層以外の材料を用いた吸着層、又は粘着性の材料を用いた粘着層として構成してもよい。また、接着層２，２２は接着したスリッパの底部材５から剥離可能に構成してパッド１０，１１，１２，２０をスリッパの底部材５から取り外しできるようにしたが、接着層２，２２は接着したスリッパの底部材５から剥離できないようにしてもよい。要するに、パッド１０，１１，１２，２０を押し当てて外れない状態で接着する材料であればよい。また、使用後はパッド１０，１１，１２，２０を手で引っ張ってスリッパの底部材５から剥離する構成の場合は、剥離操作を所定の回数行うことができる程度の接着力で接着する材料であればよい。
【００５９】
次に、パッド保持具について説明する。図１４は本発明に係るパッド保持具を示す正面図、図１５は図１４のＸＶ−ＸＶ線における断面図である。本発明に係るパッド保持具３０は、保持対象のパッド１０，１１，１２，２０の形状に応じた形状をなすシート状の付着部３１と、付着部３１の一端部の縁部に取り付けられた係合部３２とを備えている。付着部３１は、パッド１０，１１，１２，２０と同様の足型形状であり、各パッド１０，１１，１２，２０の外形寸法よりも少し大きめに形成されている。付着部３１は、厚さが０．３ｍｍ程度のポリエステル樹脂、アクリル樹脂等の合成樹脂板で構成しているが、該樹脂板の厚さはこれに限るものではない。
【００６０】
係合部３２は太さが２ｍｍ程度で所定長さの軟質の合成樹脂線材３２ｅの中間部分を他の部分よりも太く（３ｍｍ程度に）形成し、該線材３２ｅの両端部に星形の盤状部３２ａ，３２ｂを一体形成した部材からなるが、線材３２ｅの太さはこれらの数値に限るものではない。一方の盤状部３２ａは支柱及び該支柱の断面径よりも大きい直径の頭部からなる突起３２ｃを中央に備え、他方の盤状部３２ｂは貫通孔３２ｄを中央に有している。付着部３１には取付孔３１ａが開成されている。突起３２ｃの頭部の直径は取付孔３１ａ及び貫通孔３２ｄより大径に形成されている。他方の盤状部３２ｂを付着部３１の一方の面に貫通孔３２ｄと取付孔３１ａとが位置合わせされた状態に配置し、付着部３１の他方の面から一方の盤状部３２ａの突起３２ｃの頭部を取付孔３１ａと貫通孔３２ｄとに挿通させることにより、突起３２ｃの頭部が貫通孔３２ｄにて抜け止め機能を果たし、係合部３２を構成するように環状に折り曲げられた合成樹脂線材の両端部が付着部３１に連結固定される。
【００６１】
図１６はパッド保持具による掃除パッド１０の保持状態を示す（ａ）正面図と（ｂ）一部断面図である。本発明に係るパッド保持具３０の付着部３１の一方の面に一対のパッド１０の一方を付着部３１に合わせた状態にし、上から押えることでパッド１０の接着層２が付着部３１の一方の面に付着して固定保持される。また付着部３１の他方の面（裏面）に一対のパッド１０の他方を同様に付着して固定保持させる。図示はしないが、他のパッド１１，１２，２０についても同様に付着部３１の両面に付着して保持される。
【００６２】
本発明の履物用パッドを装着できる室内用履物はスリッパに限らない。例えば室内用軽量靴の中敷きパッド、及び、底部材の下面が平らな室内用軽量靴の掃除パッドとして装着することができる。
【図面の簡単な説明】
【００６３】
【図１】本発明の第１の実施形態に係る掃除パッドの平面図である。
【図２】本発明の第１の実施形態に係る掃除パッドの底面図である。
【図３】図１のＩＩＩ−ＩＩＩ線における断面図である。
【図４】本発明の第１の実施形態に係る掃除パッドをスリッパの底部材の下面に装着した状態を示す断面図である。
【図５】本発明の第２の実施形態に係る掃除パッドの断面図である。
【図６】本発明の第１及び第２の実施形態に係る掃除パッドの変形例を示す断面図である。
【図７】本発明の第３の実施形態に係る掃除パッドの平面図である。
【図８】本発明の第３の実施形態に係る掃除パッドの底面図である。
【図９】図７のＩＸ−ＩＸ線における断面図である。
【図１０】本発明の第４の実施形態に係る中敷きパッドの平面図である。
【図１１】本発明の第４の実施形態に係る中敷きパッドの底面図である。
【図１２】図９のＸＩＩ−ＸＩＩ線における断面図である。
【図１３】本発明の第４の実施形態に係る中敷きパッドをスリッパの底部材の上面に装着した状態を示す断面図である。
【図１４】本発明に係るパッド保持具を示す正面図である。
【図１５】図１４のＸＶ−ＸＶ線における断面図である。
【図１６】本発明に係るパッド保持具による掃除パッドの保持状態を示す（ａ）正面図と（ｂ）一部断面図である。
【符号の説明】
【００６４】
１      吸水シート（基材）
２      接着層（吸着層、粘着層）
２ａ    凸条
４      防水シート（防水層）
６      突起部
７      生地
１０    掃除パッド
１１    掃除パッド
１２    掃除パッド
２０    中敷きパッド
２１    抗菌シート（基材）
２２    接着層（吸着層、粘着層）
２２ａ  凸条
３０    パッド保持具
３１    付着部
３２    係合部
【図１】
2010099332.tif 000003
【図２】
2010099332.tif 000004
【図３】
2010099332.tif 000005
【図４】
2010099332.tif 000006
【図５】
2010099332.tif 000007
【図６】
2010099332.tif 000008
【図７】
2010099332.tif 000009
【図８】
2010099332.tif 000010
【図９】
2010099332.tif 000011
【図１０】
2010099332.tif 000012
【図１１】
2010099332.tif 000013
【図１２】
2010099332.tif 000014
【図１３】
2010099332.tif 000015
【図１４】
2010099332.tif 000016
【図１５】
2010099332.tif 000017
【図１６】
2010099332.tif 000018